(57)【特許請求の範囲】
【請求項１】
加熱調理器の上方に設置されたフード本体と、前記フード本体を介して吸引した室内の空気を外部に排出する排気装置と、外部の空気を室内に導入する給気装置とを備え、前記給気装置が、前記フード本体の上面に沿って左右方向に延び中央側上面に給気用部材を接続するための接続用穴部が形成された水平チャンバー部と、前記水平チャンバー部の両側部からそれぞれ上方に延び、それぞれの外側面に給気用部材を接続するための接続用穴部が形成された一対の垂直チャンバー部とからなる給気チャンバーを備える同時給排気式のレンジフードにおいて、前記一対の垂直チャンバー部における対向面の間隔が下部側よりも上部側が大きくなるように形成したことを特徴とするレンジフード。
【請求項２】
前記一対の垂直チャンバー部の対向する両面をそれぞれ傾斜面に形成して、前記対向面の間隔が下部側よりも上部側が徐々に大きくなるようにした請求項１に記載のレンジフード。
【請求項３】
前記水平チャンバー部の上方における一対の垂直チャンバー部間に給気電動シャッターを設置した請求項１または２に記載のレンジフード。
【請求項４】
前記給気チャンバーを左右対称の形状に形成した請求項１ないし３のうちのいずれか一つに記載のレンジフード。
【発明の詳細な説明】
【技術分野】
【０００１】
本発明は、調理時に室内で発生する油煙等を外部に排出するとともに、外部の空気を室内に導入するレンジフードに関する。
【背景技術】
【０００２】
従来から、厨房内の壁面や天井面における加熱調理器の上方部分には、レンジフードが設置されて調理時に室内で発生する油煙等を外部に排出するとともに、外部のきれいな空気を室内に導入して室内が負圧にならないようにしている（例えば、特許文献１参照）。このレンジフードは、送風機を内蔵するとともに上面に排出口が形成されたフード本体の上面に、排出口に連通して排気用風路を構成する第１室と、給気用風路を構成する第２室とを備えた給排気ボックスを取り付けて構成されている。
【０００３】
そして、第１室の上部には、第１室から上方に延びて外部に連通する排気ダクトが接続され、第２室の上部には、第２室から上方に延びて外部に連通する給気ダクトが接続されている。このため、加熱調理器の使用によって室内で発生する油煙等は、送風機の作動により、フード本体、第１室および排気継手を介して室内の空気とともに外部に排出され、室内の空気が負圧になると、外部の空気が給気ダクトおよび第２室を介して室内に導入される。
【特許文献１】特開平１０−９６３１号公報
【発明の開示】
【０００４】
しかしながら、前述した従来のレンジフードでは、給排気ボックスにおける排気や給気を行うための開口が給排気ボックスの上面に形成されているため、排気ダクトや給気ダクトを取り付ける場所も給排気ボックスの上面に限定されてしまい、レンジフードの側面を室内の壁面に向けた状態でレンジフードを取り付けることができずレンジフードの取付可能な場所に制限があるという問題がある。
【０００５】
このため、左右に長い四角箱状の給気ボックスの両側面と上面とに給気ダクトを接続するための開口を形成するとともに、排気ダクトをＬ型ダクトで構成する等してフード本体の上部で方向を変えることができるようにしたレンジフードもある。しかしながら、これによると、給気ボックスの高さが高くなり、給気ダクトを給気ボックスの上面に取り付ける場合には、給気ボックスの上方に大きなスペースが必要になるという問題が生じる。
【０００６】
従って、給気ボックスの上面に凹部を形成し、給気ボックスの上面に給気ダクトを取り付ける場合には、前記凹部に給気ダクト取り付けることによってスペースを確保したレンジフードも登場してきているが、給気用経路が複雑となって給気効率の点で改善の余地があり、また、限られたスペースの中で給気ボックスの凹部に給気ダクトを取り付ける作業は困難となり易い。
【０００７】
本発明は、前述した問題に対処するためになされたもので、その目的は、取付用のスペースを大きくすることなく、給気チャンバーの左右の側面および上面のどの面にでも給気用部材を接続することができる同時給排気式のレンジフードにおいて、給気チャンバー内を流れる給気を流れ易くさせるとともに、吸気用部材の接続作業を容易とすることができるレンジフードを提供することである。
【０００８】
前述した目的を達成するため、本発明に係るレンジフードの構成上の特徴は、加熱調理器の上方に設置されたフード本体と、フード本体を介して吸引した室内の空気を外部に排出する排気装置と、外部の空気を室内に導入する給気装置とを備え、給気装置が、フード本体の上面に沿って左右方向に延び中央側上面に給気用部材を接続するための接続用穴部が形成された水平チャンバー部と、水平チャンバー部の両側部からそれぞれ上方に延び、それぞれの外側面に給気用部材を接続するための接続用穴部が形成された一対の垂直チャンバー部とからなる給気チャンバーを備える同時給排気式のレンジフードにおいて、一対の垂直チャンバー部における対向面の間隔が下部側よりも上部側が大きくなるように形成したことにある。
【０００９】
前述したように構成した本発明のレンジフードは、給気チャンバーを、フード本体の上面に沿って左右方向に延びる水平チャンバー部と、水平チャンバー部の両側部からそれぞれ上方に延びる一対の垂直チャンバー部とで構成したため、水平チャンバー部の上面における中央側部分には凹部が形成される。このため、上面を天井面に向けた状態でレンジフードを取り付ける場合には、ダクトや給気電動シャッターからなる給気用部材を凹部の空間部を利用して設置することができる。
【００１０】
さらに、給気チャンバーを、一対の垂直チャンバー部における対向面の間隔が下部側よりも上部側が大きくなるように形成したため、一対の垂直チャンバー部間に手を入れ易くなり、上面を天井面に向けた状態でレンジフードを取り付ける場合の給気用部材の接続作業が容易になる。また、側面を壁面に向けた状態でレンジフードを取り付ける場合には、例えば、一対の垂直チャンバー部における対向面をともに垂直にして平行にした場合と比較して、給気チャンバー内を通過する給気流が滑らかになる効果が生じる。
【００１１】
すなわち、給気用部材を介して接続用穴部から垂直チャンバー部内に入った空気は、一対の垂直チャンバー部の対向面がともに垂直であれば垂直チャンバー部の内面に衝突して、流れが抑制されるが、垂直チャンバー部の内面に傾斜を設けることによって、空気が傾斜によって下方に導かれ水平チャンバー部側にスムーズに流れるようになる。なお、この一対の対向面は、一方だけを傾斜させてもよいし、双方を傾斜させてもよい。さらに、傾斜でなく段部を設けることによって、対向面の間隔が下部側よりも上部側が大きくなるようにすることもできる。
【００１２】
また、本発明に係るレンジフードの他の構成上の特徴は、一対の垂直チャンバー部の対向する両面をそれぞれ傾斜面に形成して、対向面の間隔が下部側よりも上部側が徐々に大きくなるようにしたことにある。これによると、レンジフードを壁面に取り付ける際に、一対の垂直チャンバー部のどちらの外面を壁面に向けても、給気流をスムーズな流れにすることができる。また、給気用部材の取付作業もさらに容易になる。
【００１３】
本発明に係るレンジフードのさらに他の構成上の特徴は、水平チャンバー部の上方における一対の垂直チャンバー部間に給気電動シャッターを設置したことにある。この場合、給気電動シャッターを直接接続用穴部に接続してもよいし、ダクトを介して接続用穴部に接続してもよい。給気電動シャッターを直接接続用穴部に接続する場合には、給気電動シャッターの取付位置が給気チャンバーの上端部の上面でなく、水平チャンバー部の上面になるため、特に給気電動シャッターを取り付けるための大きなスペースを設ける必要はなくなる。なお、この場合、一対の垂直チャンバー部に設けられた接続用穴部は蓋で閉塞しておく。
【００１４】
本発明に係るレンジフードのさらに他の構成上の特徴は、給気チャンバーを左右対称に形成したことにある。これによると、垂直チャンバー部を壁面に向けた状態でレンジフードを取り付ける場合、レンジフードの左右どちら側面に壁面が位置していても同じ要領で取り付け作業ができる。したがって、給気チャンバーの汎用性が増すようになる。
【発明を実施するための最良の形態】
【００１５】
以下、本発明の一実施形態に係るレンジフードを、図面を用いて詳しく説明する。図１は、台所に設けられたキッチンユニット１０およびその上方に設置された同実施形態に係るレンジフード２０を示している。このキッチンユニット１０は、壁面１１に沿って配置されており、左右方向の幅が長くなった矩形の箱状に形成されている。また、キッチンユニット１０の上面は板状のカウンター１２で構成されており、そのカウンター１２の上面における一端側に、加熱調理器としてのガスレンジ１３の上部に設けられた加熱部１３ａが配置されている。また、カウンター１２の上面におけるガスレンジ１３の他端側には、水栓１４を備えたシンク１５が設けられている。そして、キッチンユニット１０内には、各種の収容部が形成されその表面に扉１６ａや引き出し１６ｂ等が設けられている。
【００１６】
また、壁面１１におけるガスレンジ１３の上方には、ガスレンジ１３の加熱部１３ａに対向するようにしてレンジフード２０が設置されている。このレンジフード２０は、フード本体２１と、給排気ボックス２５とを備えており、フード本体２１と給排気ボックス２５との内部には、図２ないし図４に示したように、室内の空気を外部に排出するための排気装置３０と、外部の空気を室内に導入するための給気装置４０とが収納されている。なお、図１では省略しているが、キッチンユニット１０とレンジフード２０との右側には、壁面１１と直交する壁面１７（図５参照）が位置している。
【００１７】
フード本体２１の外郭部２２は、間隔を保って平行に配置された側面部２２ａ，２２ｂと、側面部２２ａ，２２ｂに掛け渡された状態で、側面部２２ａ，２２ｂの前端縁部から上縁部の後端に延びたのちに後部下端に向って延びるカバー２２ｃとで構成されている。そして、フード本体２１の内面は、図５および図６に示したように、側面部２２ａ，２２ｂに掛け渡された状態でカバー２２ｃの前部の曲面部と上部の平面部との境界部からカバー２２ｃの後部下端に延びる案内板２３で構成されている。側面部２２ａ，２２ｂは、側面から見た状態で、後部側が前後方向にやや長い略四角形で、前部側上部が円形を略１／４に分割した形状に形成され、下端縁部が前端部から後部側に向かう細長い下り傾斜面に形成されている。
【００１８】
また、カバー２２ｃは、側面部２２ａ，２２ｂの前部側上部の縁部に沿って湾曲して後方に延びたのちに側面部２２ａ，２２ｂの上縁部に沿って後方に延び、さらに側面部２２ａ，２２ｂの後縁部に沿って下方に延びる板状体で構成されている。そして、案内板２３は、カバー２２ｃとの連結部（カバー２２ｃの曲面部と平面部との境界部）から、後方そして下方に円弧を描くように延びたのちにさらに湾曲して後方に向って滑らかに延びる流線形の板状体で構成されている。したがって、フード本体２１の下端部は、ガスレンジ１３に向って開口し、フード本体２１の下面は上方に向って窪んだ凹部に形成されている。
【００１９】
そして、ガスレンジ１３の使用により油煙等が生じ、その油煙等が上昇してくると、油煙等は案内板２３やカバー２２ｃの前部下面によって、フード本体２１の内面における上部前側部分に導かれる。また、側面部２２ａ，２２ｂは、内部に空間部（図示せず）が形成された所定の幅を備えたパネルで構成されており、それぞれの内面の前部側部分に穴部が形成され、その穴部にフィルター２４が取り付けられている。
【００２０】
そして、案内板２３の下部中央には、照明具２３ａが取り付けられ、側面部２２ｂの下面における前部側には、各種のスイッチ等を備えた操作パネル２３ｂが取り付けられている。また、側面部２２ａ，２２ｂの内部の空間は、側面部２２ａ，２２ｂ、カバー２２ｃおよび案内板２３で囲まれるフード本体２１内の後部の空間部に連通しており、その空間部内におけるカバー２２ｃの後面部の内面に、モータ３１ａとシロッコファン３１ｂとを備えた吸引装置３１が取り付けられている。
【００２１】
給排気ボックス２５は、図７および図８に示したように、複数のフレーム部材を組み付けて矩形の枠状に形成したフレーム２６と、フレーム２６の一方の面（図７および図８の右側面で壁面１７に対向する面）を除く周面を覆うダクトカバー２７とで構成されている。フレーム２６は、固定部材（図示せず）によってフード本体２１の上面に固定されており、ダクトカバー２７は、フレーム２６に対して左側から右側にスライドさせることによりフレーム２６に取付可能になっている。また、フレーム２６の前面下部には、切欠き凹部２６ａを備えたフレームサイド２６ｂが固定されている。
【００２２】
ダクトカバー２７は、平面視がともにコ字状に形成されたカバー本体２７ａと、カバー本体２７ａの上部から上方に突出可能な状態でカバー本体２７ａに組み付けられた高さ調整カバー２７ｂとで構成されている。そして、カバー本体２７ａの前面下部におけるフレームサイド２６ｂの切欠き凹部２６ａに対応する部分には、複数の給気穴２８ａが形成され、カバー本体２７ａの後面下部にも同様の給気穴２８ｂが形成されている。
【００２３】
また、カバー本体２７ａの前面および後面のそれぞれの内面における両側部分には、それぞれ上下に延びるスライドストッパー２７ｃが上部側をカバー本体２７ａの内面から間隔を保たせた状態で取り付けられている。そして、高さ調整カバー２７ｂは、カバー本体２７ａの内面とスライドストッパー２７ｃとの間に上下方向にスライド移動可能な状態で設置されている。また、高さ調整カバー２７ｂはカバー本体２７ａに対して所定の高さに位置調節された状態で固定ねじ（図示せず）によってカバー本体２７ａに固定されており、固定ねじの取り付け位置を変更することによりダクトカバー２７の上端部の高さを天井の高さに合わせることができる。
【００２４】
また、カバー２２ｃの上面における給排気ボックス２５内の左右方向の中央よりもやや左側部分（壁面１７から離れる方向）の後部には、排気用のＬ型ダクト３２を接続するための接続用穴部（図示せず）が設けられている。そして、フード本体２１内の後部に設けられた吸引装置３１はケーシング３３を介してカバー２２ｃ上面の接続用穴部に接続されており、Ｌ型ダクト３２は、カバー２２ｃの接続用穴部を介してケーシング３３に接続されている。Ｌ型ダクト３２は接続用穴部から上方に延びたのちに屈曲して壁面１７側に延びている。そして、Ｌ型ダクト３２の先端部に、排気電動シャッター３４が取り付けられ、排気電動シャッター３４の先端部に壁面１７に設けられた穴部（図示せず）を貫通して外部に延びる延長ダクト３５が接続されている。
【００２５】
排気電動シャッター３４は、Ｌ型ダクト３２に接続される円筒部３４ａと、円筒部３４ａの内面に直径方向に延びるように掛け渡され軸周り方向に回転可能な状態で取り付けられた軸部３４ｂと、軸部３４ｂに取り付けられた回転板３４ｃとで構成されている。回転板３４ｃは、直径が円筒部３４ａの内径よりもやや小さく設定された円板で構成され、軸部３４ｂは、モータ（図示せず）の作動により軸周り方向に回転可能な状態で円筒部３４ａ内に取り付けられている。このため、モータを作動させて軸部３４ｂとともに回転板３４ｃを回転させることにより、開閉を行うことができる。
【００２６】
これらの吸引装置３１、ケーシング３３、Ｌ型ダクト３２、排気電動シャッター３４および延長ダクト３５で、本発明に係る排気装置３０が構成されている。そして、吸引装置３１のモータ３１ａを作動させることによりシロッコファン３１ｂを回転させて、室内で発生する油煙等を含む空気を、フード本体２１内に吸い込んで、吸引装置３１、ケーシング３３、Ｌ型ダクト３２、排気電動シャッター３４および延長ダクト３５を通過させて外部に排出することができる。
【００２７】
また、カバー２２ｃの上面における給排気ボックス２５内の左右方向の中央前部には、給気チャンバー４１が設けられている。この給気チャンバー４１は、図９に示したように構成されており、チャンバーホルダ４２を介してカバー２２ｃの上面に取り付けられている。すなわち、チャンバーホルダ４２は、左右方向に長くなった長方形の板体で構成されており、左右両側にそれぞれ上方に延びたのちに水平方向外側に向って延びる左右対称のレール部４２ａ，４２ｂが形成されている。そして、チャンバーホルダ４２は、固定部材（図示せず）によってカバー２２ｃの上面に固定されている。
【００２８】
また、給気チャンバー４１は、左右方向が長く高さの低い略四角箱状の水平チャンバー部４３と、水平チャンバー部４３の両側部から上方に延びる一対の垂直チャンバー部４４，４５とで構成されている。また、給気チャンバー４１の両側の下端縁部には、チャンバーホルダ４２のレール部４２ａ，４２ｂのそれぞれ対応する部分と係合可能なレール部４１ａ，４１ｂが形成されている。そして、レール部４１ａ，４１ｂの一端部をそれぞれレール部４２ａ，４２ｂの対応する他端部に係合させた状態で、給気チャンバー４１を前方から後方にスライドさせてチャンバーホルダ４２の所定位置に設置し、ねじ４２ｃで、レール部４１ａ，４１ｂとレール部４２ａ，４２ｂとの対応する部分を固定することにより、給気チャンバー４１は、チャンバーホルダ４２を介してカバー２２ｃの上面に取り付けられている。
【００２９】
水平チャンバー部４３は、前面が開口しておりその開口枠状の固定用縁部４３ａをねじ４３ｂによってチャンバーホルダ４２に固定されている。そして、水平チャンバー部４３は、固定用縁部４３ａをフレームサイド２６ｂの切欠き凹部２６ａ内に位置させた状態で、カバー２２ｃの上面におけるフレーム２６内に配置されている。また、水平チャンバー部４３の上面における中央には、給気電動シャッター４６を接続できる接続用穴部４３ｃが形成されている。なお、この接続用穴部４３ｃは、レンジフード２０の排気方向を上面（天井面）に向けた状態で設置する場合に使用するもので、このレンジフード２０においては蓋部材（図示せず）によって閉塞される。
【００３０】
垂直チャンバー部４４は、水平チャンバー部４３の左端部から上方に延びる箱状に形成されており、外側面（図示せず）が水平チャンバー部４３の底面に直交する垂直面に形成されている。そして、その外側面に、給気電動シャッター４６を接続することのできる接続用穴部（図示せず）が形成されている。この接続用穴部は、レンジフード２０の排気方向を左側面（壁面）に向けた状態でレンジフード２０を壁面に設置する場合に使用するもので、このレンジフード２０においては蓋部材によって閉塞される。
【００３１】
また、垂直チャンバー部４４の内側面４４ａ（垂直チャンバー部４５に対向する面）は、平面視において下部側が給気チャンバー４１の中央側に近い位置に位置し上部側が下部側よりも給気チャンバー４１の外部側に近い位置に位置するように傾斜した傾斜面に形成されている。垂直チャンバー部４５は、垂直チャンバー部４４と左右対称に形成されており、外側面４５ａが水平チャンバー部４３の底面に直交する垂直面に形成されている。そして、その外側面４５ａに、給気電動シャッター４６を接続するための接続用穴部４５ｂが形成されている。
【００３２】
また、垂直チャンバー部４５の内側面４５ｃ（垂直チャンバー部４４に対向する面）は、平面視で下部側が給気チャンバー４１の中央側に近い位置に位置し上部側が下部側よりも給気チャンバー４１の外部側に近い位置に位置するように傾斜した傾斜面に形成されている。なお、給気チャンバー４１を構成するこれらの水平チャンバー部４３、垂直チャンバー部４４，４５の内部はそれぞれ連通している。そして、垂直チャンバー部４５の接続用穴部４５ｂに給気電動シャッター４６が接続されている。また、給気電動シャッター４６の先端部には、壁面１７に設けられた穴部１７ａを貫通して外部に延びる延長ダクト４７が接続されている。
【００３３】
給気電動シャッター４６は、排気電動シャッター３４と同様の構成からなっており、接続用穴部４５ｂに接続される円筒部４６ａと、円筒部４６ａの内部で直径方向に延びるように取り付けられた軸部４６ｂと、軸部４６ｂを中心として円筒部４６ａ内で回転可能に取り付けられた回転板４６ｃとで構成されている。この軸部４６ｂおよび回転板４６ｃも、モータ（図示せず）の作動により軸部４６ｂの軸周り方向に回転可能な状態で取り付けられており、モータを作動させて軸部４６ｂとともに回転板４６ｃを所定角度回転させることにより、円筒部４６ａの開口を開閉することができる。
【００３４】
これらの延長ダクト４７、給気電動シャッター４６、給気チャンバー４１およびカバー本体２７ａの前面下部に設けられた複数の給気穴２８ａで、本発明の給気装置４０が構成されている。このため、室内の空気が負圧になると、外部の空気が延長ダクト４７、給気電動シャッター４６、給気チャンバー４１を通過して、給気穴２８ａから室内に導入される。また、本実施形態に係るレンジフード２０は、前述した各装置の他に、フード本体２１内に設置された電装ボックス４８や電装ボックス４８からフード本体２１の上面を貫通して外部に延びる電源コード４９も備えている。
【００３５】
この構成において、調理の際に生じる油煙等の室内から外部への除去および外部の空気の室内への導入は、つぎのようにして行われる。まず、ガスレンジ１３の加熱部１３ａ上に食材を入れた鍋等（図示せず）を載せた状態で、ガスレンジ１３のスイッチ（ガスレンジ１３の正面における操作パネル１３ｂに設けられている。）をオンにして食材を入れた鍋等を加熱するとともに、フード本体２１に設けられた操作パネル２３ｂの所定のスイッチ（モータ３１ａおよび照明具２３ａ用のスイッチ）をオンにする。
【００３６】
これによって、鍋等からは、湯気や油煙等が発生する。そして、これらの油煙等は、鍋等やガスレンジ１３の周囲に拡散しようとするが、これらの大部分は、吸引装置３１の作動によってレンジフード２０内に吸引される。この場合、室内の煙等を含む空気は、図６に矢印ａで示したように、フード本体２１の下方から、フィルター２４を通過してフード本体２１内の後部に吸い込まれる。ついで、吸引装置３１からケーシング３３およびＬ型ダクト３２を通過して、排気電動シャッター３４内に進む。そして、その空気は、排気電動シャッター３４を通って延長ダクト３５から外部に排出される。
【００３７】
また、室内の空気が外部に排出されて室内の空気が負圧になると、外部の空気が延長ダクト４７から給気電動シャッター４６に導入される。そして、その空気は、給気電動シャッター４６を通って、給気チャンバー４１の垂直チャンバー部４５内に入る。そして、その空気は、垂直チャンバー部４５内で内側面４５ｃの内面の傾斜によって下方にガイドされ、水平チャンバー部４３の内部にスムーズな流れとなって流れていく。さらに、その空気は、水平チャンバー部４３内から給気穴２８ａを通過して室内に導入される。
【００３８】
また、給気穴２８ａから室内に流れた空気は、図６に矢印ｂで示したように、カバー２２ｃの前部側上面の曲面に沿って下方に流れていく。この場合、カバー２２ｃの前部側上面に沿って下方に流れる空気がエアカーテンとなって、ガスレンジ１３や鍋等から上昇してくる排ガスや油煙を含む空気がフード本体２１の外部に流れることを防止する。
【００３９】
つぎに、給気チャンバー４１における垂直チャンバー部４４の内側面４４ａと垂直チャンバー部４５の内側面４５ｃとの傾斜面をそれぞれ垂直面にして形成した給気チャンバーを備えたレンジフードを比較例とし、この比較例によるレンジフードと、本実施形態に係る給気チャンバー４１を備えたレンジフード２０（実施例）との給気量の比較テストを行った。この場合、実施例の垂直チャンバー部４４の内側面４４ａと垂直チャンバー部４５の内側面４５ｃとの傾斜面の傾斜角度はそれぞれ垂直方向から異なる方向に向かった１５度の角度とし、給気穴２８ａは、直径が２０ｍｍで個数を５０個とした。
【００４０】
また、比較例の一対の垂直チャンバー部のそれぞれの幅は、垂直チャンバー部４４，４５のそれぞれの幅の平均幅と同じにして、双方の垂直チャンバー部４４，４５等の容積に差が生じないようにした。そして、比較例のレンジフードのそれ以外の部分の構成は、実施例のレンジフード２０と同一にして、比較テストを行った。その結果、給気電動シャッター４６を「開」とするとともに、レンジフード２０のシロッコファン３１ｂの回転数を強運転に設定して流量を大きくした場合には、実施例の給気量が９９．２ｍ3／ｈで、比較例の給気量が９１．３ｍ3／ｈであった。
【００４１】
また、シロッコファン３１ｂの回転数を中運転に設定して流量を中程度にした場合には、実施例の給気量が５８．５ｍ3／ｈで、比較例の給気量が５７．３ｍ3／ｈであった。さらに、シロッコファン３１ｂの回転数を弱運転に設定して流量を小さくした場合には、実施例の給気量が３９．１ｍ3／ｈで、比較例の給気量が３８．２ｍ3／ｈであった。この結果から、給気チャンバー４１における垂直チャンバー部４４の内側面４４ａと垂直チャンバー部４５の内側面４５ｃとにそれぞれ１５度の傾斜面を設けることにより、給気量が略１０％増加することが分かる。
【００４２】
以上のように、本実施形態に係るレンジフード２０は、給気チャンバー４１が、水平チャンバー部４３と、水平チャンバー部４３の両側部からそれぞれ上方に延びる一対の垂直チャンバー部４４，４５とで構成され、水平チャンバー部４３の中央側上面と、一対の垂直チャンバー部４４，４５のそれぞれの外側面４５ａ等とに接続用穴部４３ｃ，４５ｂ等が形成されている。したがって、本実施形態のようにレンジフード２０の排気方向を右側面（壁面１７）に向けた状態でレンジフード２０を取り付ける場合には、垂直チャンバー部４５の外側面４５ａに設けられた接続用穴部４５ｂに給気電動シャッター４６を接続し、さらに給気電動シャッター４６に延長ダクト４７を接続することにより外部と室内とを連通することができる。
【００４３】
そして、他の接続用穴部４３ｃ等を蓋部材で閉塞しておくことにより、給気チャンバー４１から通風路以外の部分に空気が漏れることを防止できる。また、垂直チャンバー部４５の内側面４５ｃを、下部側が中央よりで上部側が下部側よりも外部側よりに位置する傾斜面に形成したため、給気電動シャッター４６から垂直チャンバー部４５内に入った空気が、内側面４５ｃの内面の傾斜によって下方に導かれ水平チャンバー部４３側にスムーズに流れるようになる。この結果、給気量が大幅に増加する。
【００４４】
また、本発明の他の実施形態として、給気電動シャッター４６を垂直チャンバー部４４の外側面に形成された接続用穴部に接続するとともに、給気電動シャッター４６に延長ダクト４７を取り付けて、レンジフード２０の左側面を所定の壁面に向けた状態でレンジフード２０をその壁面に取り付けることができる。この場合、フレーム２６およびダクトカバー２７は左右を反転させた状態でフード本体２１の上面に固定するとともに、フレームサイド２６ｂは表裏を反転させた状態でフレーム２６に固定する。
【００４５】
また、Ｌ型ダクト３２は垂直方向に延びる下部側部分を中心として１８０度回転させて先端開口を左側に向ける。そして、Ｌ型ダクト３２に排気電動シャッター３４を取り付け排気電動シャッター３４の先端部に延長ダクト３５を接続する。これによると、給気穴２８ｂが前面に位置するようになり、延長ダクト４７から給気電動シャッター４６を介して給気チャンバー４１に導入された空気は、給気穴２８ｂから室内に流れていくようになる。この実施形態に係るレンジフードのそれ以外の作用効果については、前述したレンジフード２０と同様である。
【００４６】
また、本発明のさらに他の実施形態として、給気電動シャッター４６を上下方向に向けて水平チャンバー部４３の上面に形成された接続用穴部４３ｃに接続するとともに、その状態の給気電動シャッター４６の上端部に延長ダクト４７を取り付けて、レンジフード２０の排気方向を上面（天井面）に向けた状態でレンジフード２０を壁面に取り付けることができる。この場合、給気電動シャッター４６は、図１０に示したようにして、給気チャンバー４１の上面に取り付けられる。
【００４７】
また、カバー２２ｃの上面に形成された接続用穴部には、Ｌ型ダクト３２に代えて排気電動シャッター３４を上下方向に向けた状態で接続し、その上に上方に真っ直ぐ延びるダクト（図示せず）を接続する。そして、排気電動シャッター３４の上端部に延長ダクト３５を接続する。さらに、高さ調整カバー２７ｂをカバー本体２７ａに対して上下にスライドさせて高さ調整することにより、給排気ボックス２５と天井面との間に隙間が生じないようにする。
【００４８】
これによると、延長ダクト４７から給気電動シャッター４６を介して給気チャンバー４１に導入された空気は、垂直チャンバー部４４，４５を通過せずに、直接水平チャンバー部４３に流れ、水平チャンバー部４３から給気穴２８ａまたは給気穴２８ｂを通過して室内に流れていく。また、この場合、水平チャンバー部４３の上面における垂直チャンバー部４４，４５間には凹部が形成されており、給気電動シャッター４６や延長ダクト４７をこの凹部の空間を利用して設置することができる。
【００４９】
さらに、垂直チャンバー部４４，４５の対向面は下部側の間隔よりも上部側の間隔の方が大きくなるように傾斜しているため、この対向面間に手を入れ易くなり給気電動シャッター４６や延長ダクト４７の取付作業が容易になる。また、給気電動シャッター４６が垂直チャンバー部４４，４５間に取り付けられるため、給気チャンバー４１の上方には取付用のスペースが不要になるかまたは少なくてすむようになる。さらに、高さ調整カバー２７ｂの高さ調整により、給排気ボックス２５と天井面との間に隙間が生じなくなるため、美観が向上するようになる。
【００５０】
また、給気チャンバー４１を左右対称に形成したため、垂直チャンバー部４４，４５を壁面１７等に向けた状態でレンジフード２０を取り付ける場合、レンジフード２０の左右どちら側面に壁面１７等が位置していても同じ要領でレンジフード２０の取り付け作業ができる。したがって、給気チャンバー４１の汎用性が増すようになる。
【００５１】
また、本発明に係るレンジフードは、前述した実施形態に限定するものでなく、適宜変更して実施することができる。例えば、前述した実施形態では、垂直チャンバー部４４の内側面４４ａと垂直チャンバー部４５の内側面４５ｃとの双方を傾斜面に形成しているが、垂直チャンバー部４４の内側面４４ａと垂直チャンバー部４５の内側面４５ｃとの一方だけを傾斜面にしてもよい。また、その傾斜角度は１５度に限らず、１５度よりも小さくても大きくてもよく、使用目的に応じて適宜変更することができる。
【００５２】
さらに、滑らかな傾斜面でなく内部側に向って湾曲した曲面や複数の段部を設けることによって、対向面の間隔が下部側よりも上部側が大きくなるようにしてもよい。また、前述した実施形態では、接続用穴部４３ｃ，４５ｂ等のいずれかに直接給気電動シャッター４６を接続しているが、接続用のダクト等を介して給気電動シャッター４６を接続してもよい。さらに、レンジフード２０を構成するそれ以外の各部分についても本発明の技術的範囲内で変更することができる。
【図面の簡単な説明】
【００５３】
【図１】本発明の一実施形態に係るレンジフードの設置状態を示した斜視図である。
【図２】レンジフードの平面図である。
【図３】レンジフードの内部を示した正面図である。
【図４】レンジフードを側面側から見た状態を示した断面図である。
【図５】レンジフードが設置された状態を示した正面図である。
【図６】排気と給気の流れを説明する説明図である。
【図７】ダクトカバーとフレームとの組付け状態を示した斜視図である。
【図８】レンジフードからダクトカバーを取り外した状態を示した斜視図である。
【図９】給気チャンバーを示した斜視図である。
【図１０】給気電動シャッターを給気チャンバーにおける水平チャンバー部の上面に取り付けた状態を示した斜視図である。
【符号の説明】
【００５４】
２０…レンジフード、２１…フード本体、２８ａ…給気穴、３０…排気装置、３１…吸引装置、３２…Ｌ型ダクト、３３…ケーシング、３４…排気電動シャッター、３５，４７…延長ダクト、４０…給気装置、４１…給気チャンバー、４３…水平チャンバー部、４３ｃ，４５ｂ…接続用穴部、４４，４５…垂直チャンバー部、４４ａ，４５ｃ…内側面、４５ａ…外側面、４６…給気電動シャッター。
【図１】
0004642690.tif 000002
【図２】
0004642690.tif 000003
【図３】
0004642690.tif 000004
【図４】
0004642690.tif 000005
【図５】
0004642690.tif 000006
【図６】
0004642690.tif 000007
【図７】
0004642690.tif 000008
【図８】
0004642690.tif 000009
【図９】
0004642690.tif 000010
【図１０】
0004642690.tif 000011